(57)【要約】【課題】本発明の目的は、塩／砂糖／調味料容器を提供することである。【解決手段】  塩／砂糖／調味料容器は、充填スペース、スライド貯蔵ブロック、排出スペースを含む。充填スペースの上端に充填口、下端に第１排出孔を有する。スライド貯蔵ブロックは定量空間を有する。排出スペースの上端に第２排出孔、側面に排出口を有する。スライド貯蔵ブロックは、充填スペースおよび排出スペースの間に設けられる。スライド貯蔵ブロックがスライドし、その定量空間の上、下端が、それぞれ充填スペースまたは排出スペースとつながることにより、材料の定量排出を実現した。本容器は、使用量を容易にコントロールし、把握することができる。操作を簡便にするだけでなく、清潔であり、品質保持および防湿を高めることを実現した。
2012518441.tif 000002
【特許請求の範囲】
【請求項１】
外郭を含み、該外郭が充填口および排出口を有し、外郭内に粒状または粉末状の材料を充填する、塩／砂糖／調味料容器であって、前記外郭内にさらに、
充填スペースと
スライド貯蔵ブロックと、
排出スペースとを含み、
前記充填スペース上端に充填口、下端に第１排出孔を有し、前記スライド貯蔵ブロックが貯蔵室を有し、前記排出スペース上端に第２排出孔、側端に排出口を有し、スライド貯蔵ブロックが充填スペースおよび排出スペースの間に設けられ、スライド貯蔵ブロックがスライドすることにより、その貯蔵室の上、下端が、それぞれ充填スペースまたは排出スペースとつながることを特徴とする容器。
【請求項２】
前記充填スペースの第１排出孔および前記排出スペースの第２排出孔が、同一軸上に位置しないことを特徴とする、請求項１に記載の塩／砂糖／調味料容器。
【請求項３】
前記充填スペースおよび前記排出スペースの間にスライドブロックの溝を有し、前記スライド貯蔵ブロックが、該スライドブロックの溝内でスライドし、前記第１排出孔および前記第２排出孔が、それぞれ溝とつながることを特徴とする、請求項１に記載の塩／砂糖／調味料容器。
【請求項４】
前記スライド貯蔵ブロックがレバーアームと接続し、該レバーアームがアームおよび副アームを含み、アームが副アームの上端と一緒に固定され、副アームの下端がスライド貯蔵ブロックと可撓接続され、アームおよび副アームの固定端が、前記外郭上でヒンジ接続し、アームは外郭外に設置されることを特徴とする、請求項１に記載の塩／砂糖／調味料容器。
【請求項５】
前記外郭の内壁に枠溝を有し、前記副アームが前記枠溝内に設けられ、枠溝の内壁および副アームの間にスプリングを有することを特徴とする、請求項１に記載の塩／砂糖／調味料容器。
【請求項６】
前記貯蔵室が、円柱の定量空間を含むことを特徴とする、請求項１に記載の塩／砂糖／調味料容器。
【請求項７】
前記スライド貯蔵ブロックの前端にラックを有し、該ラックが歯車装置を動かし、該歯車装置が駆動歯車、中間歯車、および被動歯車を含み、ラックが駆動歯車とかみ合い、被動歯車が排出口カバーと接続しており、ラックが歯車装置を介して、排出口カバーを動かし、排出口を開いたり、蓋をしたりすることを特徴とする、請求項１に記載の塩／砂糖／調味料容器。
【請求項８】
前記スライドブロックの溝内に、スライド貯蔵ブロックのスライドを制限する、前定位ブロックを有することを特徴とする、請求項３に記載の塩／砂糖／調味料容器。
【請求項９】
前記第１排出孔および第２排出孔周辺に、残った材料を掻き取るのに用いる掻取樹脂環を有することを特徴とする、請求項１に記載の塩／砂糖／調味料容器。
【請求項１０】
前記定量空間の上筒口周辺および下筒口周辺に、それぞれ掻取樹脂環を有することを特徴とする、請求項６に記載の塩／砂糖／調味料容器。
【発明の詳細な説明】
【技術分野】
【０００１】
本発明は、塩、砂糖、調味料など、粒状または粉末状の材料に用いる容器に関する。
【背景技術】
【０００２】
現在、社会は日増しに発展しており、食事のおいしさや健康に対する要求は、ますます高まっている。おいしく健康なおかずを作るのに、味付けは重要な要素である。さらに重要なことは、使用する調味料の分量を把握することである。市場には多種の顆粒調味料容器がある。さじが添えられている容器は、調味料を容器からかき出して使用するのに便利であるが、分量を把握しにくい。また、瓶の蓋に複数の小さい孔があり、孔から調味料を注ぐ容器は、分量をコントロールしにくい。さらに、瓶の蓋を通過して、瓶のほぼ底まで達する管がある容器は、使用するとき、瓶を逆にして調味料を管から注ぐが、やはり分量のコントロールがしにくい。瓶の蓋がスライド式のものは、使用するとき、取っ手を持って同時にスライドして開き、調味料を注いで使用する。使用後、スライド蓋は自動的に閉まる。衛生面の要求は満たすことができるが、やはり分量を把握することができない。
【０００３】
米国特許第００５４９０６１５Ａ号に顆粒容器が開示されている。この容器は、３段階の所定量の材料を排出でき、防湿効果を有する。容器内にピストンを有し、その上端は充填スペースの上壁を通過してボタンと接続し、下端は排出ヘッドが台座を通過した排出口を有する。排出ヘッドに３段階のくぼみを設け、排出する材料を止める。排出ヘッド底部にオーリングを有しており、未使用時に、オーリングは排出口に密着し、漏れおよび湿気を防ぐ目的を達成する。ボタンおよび充填スペースの上壁の間にスプリングを有する。ボタンに３個のストロークリミッタを有し、ピストン下端の排出ヘッドの移動を制御して、３段階の所定量を排出する。この容器は、排出ヘッドが下に移動するとき、この層のくぼみの下のすき間が、排出口周辺から離れると、くぼみの材料が排出され始めるが、くぼみの上方は、依然として充填スペースと通じる。材料がくぼみに流入することで、排出された分が補充される。上のすき間が排出口に達すると、補充が終わる。同様に、排出ヘッドが上に移動するとき、この層の上のすき間が排出口から離れ、充填室の材料がくぼみに進入し始める。これらの材料は、下端のすき間から排出され、くぼみの下のすき間が排出口に達すると排出が終了する。そのため、排出された材料は所定量ではないという欠点がある。この他、毎回排出後に材料の残りがくぼみの周辺に貼りつくことがあり、排出ヘッドの動作に影響を及ぼす。同時に、材料の残りが排出ヘッド底部のオーリングに貼りつき、オーリングおよび排出口の間にすき間ができるため、防湿機能が不確かになる。
【０００４】
米国特許第００５１６９０４９Ａ号に攪拌容器（ＳＨＡＫＥＲ）が開示されている。この容器は、所定量の顆粒材料を注ぐことができる。容器内に３つのスペースを有する。上部スペースは排出スペースであり、その上壁に複数の排出小孔を有する。排出スペースの下側は充填スペースであり、顆粒材料を充填する。充填スペースの下側は計量スペースである。２つのスペースのすき間は、中心に向かって傾いており、計量スペースの底壁はすき間と平行である。すき間周辺に小孔を多く有し、充填スペースの材料を計量スペースに流す。計量スペースの中心位置に凹部を有し、凹部に排出スペースに通じる配送管を有する。凹部内壁および配送管外壁の間に、小管を複数有し、計量スペースの材料を凹部に流し込む。使用するとき、容器を逆さにして振ると、計量スペースの材料が、配送管を通って排出スペースに流れて注ぎ出る。この容器は、逆さにしたとき、計量スペースの材料が、部分的に充填スペースに逆流する。したがって、排出する材料の分量が、所定量とはならないという欠点がある。それと同時に、防湿機構が無く、材料が通る小孔および小管に、容易に材料が詰まり、容器の動作に影響を及ぼす。
【０００５】
つまり、既存の塩砂糖瓶／調味料瓶の多くで、定量することができない、湿気を防ぐことができない、使用が不便などの問題が存在する。したがって、おいしく、健康な食事への要求を満たすことができない。
【先行技術文献】
【特許文献】
【０００６】
【特許文献１】米国特許第００５４９０６１５Ａ号
【特許文献２】米国特許第００５１６９０４９Ａ号
【発明の概要】
【発明が解決しようとする課題】
【０００７】
本発明の目的は、塩／砂糖／調味料容器を提供することである。充填スペース、定量スライドブロックおよび排出スペース構造を設けることにより、既存の技術に存在する、定量することができない、湿気を防ぐことができないという不足を克服することができる。
【課題を解決するための手段】
【０００８】
本発明を実現する技術提案は、以下の通りである。該種の塩／砂糖／調味料容器は、外郭を含み、この外郭は充填口および排出口を有し、外郭内に粒状または粉末状の材料を充填する。
【０００９】
外郭内に、さらに充填スペース、スライド貯蔵ブロック、排出スペースを含む。
【００１０】
充填スペース上端に充填口、下端に第１排出孔を有する。スライド貯蔵ブロックは貯蔵室を有する。排出スペース上端に第２排出孔、側面に排出口を有する。スライド貯蔵ブロックは、充填スペースおよび排出スペースの間に設けられ、スライド貯蔵ブロックがスライドすることにより、その貯蔵室の上、下端が、それぞれ充填スペースまたは排出スペースとつながる。
【００１１】
該技術提案は、さらに以下を含む。
【００１２】
充填スペースの第１排出孔および排出スペースの第２排出孔は、同一軸上に位置しない。
【００１３】
充填スペースおよび排出スペースの間に、スライドブロックの溝を有する。スライド貯蔵ブロックは、このスライドブロックの溝内でスライドする。第１排出孔および第２排出孔は、それぞれ溝とつながる。
【００１４】
スライド貯蔵ブロックは、レバーアームと接続する。レバーアームはアームおよび副アームを含む。アームは、副アームの上端と一緒に固定され、副アームの下端はスライド貯蔵ブロックと可撓接続される。アームおよび副アームの固定端は、外郭上に位置し、アームは外郭外に設置される。
【００１５】
外郭の内壁に枠溝を有する。副アームは枠溝内に設けられ、枠溝の内壁および副アームの間にスプリングを有する。
【００１６】
貯蔵室は、円柱の定量空間を含む。
【００１７】
スライド貯蔵ブロックの前端にラックを有し、ラックは歯車装置を駆動する。歯車装置は駆動歯車、中間歯車、および被動歯車を含む。ラックが駆動歯車とかみ合い、被動歯車は排出口カバーと接続する。ラックは歯車装置を介して、排出口カバーを動かし、排出口を開いたり、蓋をしたりする。
【００１８】
スライドブロックの溝内に、スライド貯蔵ブロックのスライドを制限する、前定位ブロックを有する。
【００１９】
第１排出孔および第２排出孔の周辺に、残った材料を掻き取るのに用いる掻取樹脂環を有する。
【００２０】
定量空間の上筒口周辺および下筒口周辺に、それぞれ掻取樹脂環を有する。
【発明の効果】
【００２１】
本発明が有する有益な効果は、スライド貯蔵ブロックの定量空間の容積が一定であり、さらに、スライド貯蔵ブロックが前進するとき、定量空間は一時、第１排出孔の前縁および第２排出孔の後縁の間に位置する。したがって、送り出される材料が毎回一定である。
【００２２】
第１排出孔周辺、定量空間の上下筒口周辺、および第２排出孔周辺は、すべて掻取樹脂環構造を有するため、材料を送る過程で壁に貼り付いた粒の残りを取り除くことができ、スライド貯蔵ブロックの動きをスムーズにする。さらに掻取樹脂環構造も密閉作用を有し、湿気を防ぐことができる。
【００２３】
スライド貯蔵ブロックを動かすレバーアーム構造を有するため、使用が便利である。
【００２４】
排出口カバー構造を有し、排出時に開き、排出後蓋をするため、排出通路が外からの汚染を受けずに保持され、清潔で衛生的である。
【００２５】
本構造は、使用量を容易にコントロールし、把握することができる。操作が簡単なだけでなく、さらに使用過程全体を密封状態で行うことを実現した。清潔で衛生的であり、品質の保証および防湿を高めることができる。
【図面の簡単な説明】
【００２６】
【図１】図１は、本発明の全体構造の見取り図である。
【図２】図２は、図１の俯瞰図である。
【図３】図３は、図１の側面図である。
【図４】図４は、図１のＣ−Ｃの見取り図である。
【図５】図５は、図１のＢ−Ｂの見取り図である。
【図６】図６は、図１のＥ−Ｅの見取り図である。
【図７】図７は、図１のＤ−Ｄの見取り図である。
【図８】図８は、本発明の使用状態の見取り図であり、定位置状態を示す。
【図９】図９は、本発明の使用状態の見取り図であり、移行状態を示す。
【図１０】図１０は、本発明の使用状態の見取り図であり、排出状態を示す。
【発明を実施するための形態】
【００２７】
以下に図を組み合わせて、本発明についてさらに説明を行う。
【実施例】
【００２８】
図に示すように、本発明の塩、砂糖、調味料容器は、主に外郭１、充填スペース１１、スライド貯蔵ブロック２、排出スペース１０からなる。密封された充填スペース１１は、外郭１内の大部分の空間に位置し、充填スペース１１の上端は充填口２２で、充填口２２は充填カバー２３で覆われる。充填スペース１１の下端は閉止板５で、閉止板５に第１排出孔６を有し、その周辺に第１排出孔の掻取樹脂環２６を有する。閉止板５の下側にスライドブロックの溝１３を有し、スライドブロックの溝１３内にスライド貯蔵ブロック２を有する。スライド貯蔵ブロック２は円柱の定量空間３を有する。定量空間３の上筒口に掻取樹脂環２６を有し、定量空間３の下筒口に掻取樹脂環２６を有する。スライド貯蔵ブロック２が定位置にあるとき、定量空間３の上筒口は、第１排出孔６にちょうど合い、互いに適合する。定量空間３の容積は、０．５ｍｌ、１ｍｌ、１．５ｍｌ、または２ｍｌとし、使用者が選択する。外郭１に容器の定量空間３の容積が刻まれている。スライドブロックの溝１３の下側は仕切板７で、仕切板７に第２排出孔１２を有する。第２排出孔１２の周辺に掻取樹脂環２６を有し、第２排出孔１２は、第１排出孔６の前側に設けられる（２つの孔の位置は相互にずれる）。第２排出孔１２の後縁および第１排出孔６の前縁の距離は、定量空間３の幅に１〜２ｍｍ加えた長さである。掻取樹脂環２６構造の作用は、材料を送るとき、対応する壁に貼り付いた残った材料を掻き取り、スライド貯蔵ブロック２の動作のスムーズさを保証する。同時に密封作用を有し、材料の防湿および品質保証効果を発揮する。仕切板７および外郭１の間は排出スペース１０であり、排出スペース１０の側面に排出口８を有し、排出口８は排出口カバー９で覆われる。スライド貯蔵ブロック２の後端と対応する外郭１内の側壁に枠溝２１があり、枠溝２１内にアーム１６および副アーム１８からなるレバーアームを有する。アーム１６は副アーム１８の上端と一緒に固定されている。副アーム１８の下端に長方孔３０があり、スライド貯蔵ブロック２の後端のピン軸１９と可撓接続され、副アーム１８の振り子運動が、スライド貯蔵ブロック２を直線往復運動させる。アーム１６および副アーム１８の固定端は、ヒンジピン１５を介して外郭１と接続しており、アーム１６の大部分は、外郭１の外に露出している。副アーム１８および枠溝２１の内壁の間にスプリング２０があり、アーム１６の下側の外郭１の適当な位置に、ハンドル１４を有する。その目的は、操作の簡便性のためである。スライド貯蔵ブロック２の前端はラック３１であり、ラック３１は駆動歯車３２とかみ合い、駆動歯車３２は中間歯車３３を介して被動歯車３４とかみ合う。被動歯車３４は、さらに排出口カバー９と一緒に固定される。
【００２９】
動作原理
図８〜図１０に示すように、使用するとき、定量空間３はまず第１排出孔６と合う位置にある。すでに材料が満たされ、さらに排出口カバー９が排出口８を覆っている。手でアーム１６を下に押し動かすと、副アーム１８がスライド貯蔵ブロック２を前にスライドさせる。定量空間３が第１排出孔６から離れた後、第２排出孔１２と接触する。第２排出孔１２と対応すると、材料がすべて排出スペース１０に流れ、同時にラック３１が駆動歯車３２を回転させる。中間歯車３３を介して被動歯車３４を回転させ、排出口カバー９を開き、材料を注ぐ。アーム１６を緩めると、スプリング２０の作用で、スライド貯蔵ブロック２が元の位置に戻り、充填スペース１１内の材料が、再び定量空間３に流れ、排出口カバー９が排出口８を覆う。
【００３０】
本発明の塩、砂糖、調味料容器の材質は、ガラス、プラスチック、金属を含む。
【００３１】
本発明は、上述の実施例に限定されない。その形状または構造上のいかなる変化に関わらず、駆動構造を利用して定量装置を動かし、容器の粒状調味料の一定量を、瓶外に排出する塩砂糖瓶、調味料瓶であり、すべて本発明の保護範囲内にある。上記定量空間の直線的往復運動を振り子の往復運動に変更すること、上記駆動構造をブランコ式駆動構造に変更すること、排出口カバーの開閉構造をレバー式開閉構造に変更することは、すべて本発明の改良型であり、すべて本発明の保護範囲内にあると考えるべきである。
【符号の説明】
【００３２】
１  外郭
２  スライド貯蔵ブロック
３  定量空間
４  台座
５  閉止板
６  第１排出孔
７  仕切板
８  排出口
９  排出口カバー
１０  排出スペース
１１  充填スペース
１２  第２排出孔
１３  スライドブロックの溝
１４  ハンドル
１５  ヒンジピン
１６  アーム
１７  前定位ブロック
１８  副アーム
１９  ピン軸
２０  スプリング
２１  枠溝
２２  充填口
２３  充填カバー
２４  密封環
２６  掻取樹脂環
３０  長方孔
３１  ラック
３２  駆動歯車
３３  中間歯車
３４  被動歯車
【図１】
2012518441.tif 000003
【図２】
2012518441.tif 000004
【図３】
2012518441.tif 000005
【図４】
2012518441.tif 000006
【図５】
2012518441.tif 000007
【図６】
2012518441.tif 000008
【図７】
2012518441.tif 000009
【図８】
2012518441.tif 000010
【図９】
2012518441.tif 000011
【図１０】
2012518441.tif 000012
【国際調査報告】
2012518441.tif 000013
2012518441.tif 000014
2012518441.tif 000015
2012518441.tif 000016
2012518441.tif 000017
2012518441.tif 000018